【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
ミニチュアカメラモジュールを含むモバイルデバイスのための補助光学装置アセンブリであって、
レンズホルダと、このレンズホルダに結合された補助レンズと、マイクロバヨネットカップリングインターフェースとを含む補助レンズアセンブリと、
補助レンズ装着インターフェースであって、前記モバイルデバイスの前記ミニチュアカメラモジュールに従って構成され、かつ、前記モバイルデバイスへ安定的に結合するように構成されると共に、前記補助光学装置アセンブリの前記マイクロバヨネットカップリングインターフェースに従って構成されて、前記モバイルデバイスの前記ミニチュアカメラモジュールの光路に沿って前記補助レンズに安定的に結合されて位置合わせされた補助レンズ装着インターフェースと、
前記補助レンズ装着インターフェースに画定されたフラッシュ開口であって、前記モバイルデバイスの前記ミニチュアカメラモジュールの光源が撮像すべき被写体を照明するように形状付けられたフラッシュ開口と、
前記補助レンズ装着インターフェースに画定されたカメラ開口であって、前記被写体から反射した光をデジタル画像として受け取り前記モバイルデバイスの前記ミニチュアカメラモジュールの内蔵画像センサへ前記光路に沿って進めるカメラ開口とを備え、
前記カメラ開口が長円形領域を含み、これは前記マイクロバヨネットカップリングインターフェースの長手寸法が前記カメラ開口の前記長円形領域の長手寸法と概ね平行なときに、第１の向きにある前記補助レンズアセンブリの前記マイクロバヨネットカップリングインターフェースを受け入れる寸法及び形状に構成され、前記マイクロバヨネットカップリングインターフェースの前記長手寸法が前記長円形領域との平行から相対的に回転して逸れたときに前記補助レンズアセンブリを回転自在に結合して前記ミニチュアカメラモジュールの前記光路に沿って安定的に位置合わせさせることにより、前記補助レンズ装着インターフェースの画像側に捕捉させ、前記補助レンズを前記補助レンズ装着インターフェースの被写体側に安定的に配置して前記モバイルデバイスの前記ミニチュアカメラモジュールと位置合わせさせる補助光学装置アセンブリ。
【請求項２】
請求項１の補助光学装置アセンブリにおいて、前記補助レンズアセンブリの前記マイクロバヨネットカップリングインターフェースは、バヨネットタブを含み、前記補助レンズ装着インターフェースは戻り止め部分を含み、この戻り止め部分はレンズ装着開口を少なくとも部分的に画定し、前記レンズ装着開口は前記補助レンズアセンブリの前記バヨネットタブに従って形状付けられ、前記モバイルデバイスの前記ミニチュアカメラモジュールの前記光路に沿って前記補助レンズを安定的に結合させて位置合わせさせる補助光学装置アセンブリ。
【請求項３】
請求項２の補助光学装置アセンブリにおいて、前記バヨネットタブは長円形状を含み、前記レンズ装着インターフェースは長円形を画定する前記戻り止めを含み、その長円形は前記バヨネットタブの長手寸法よりも短い短手寸法を有し、前記レンズ装着開口の前記長円形は第１の相対的な向きにおいて前記バヨネットタブにより貫通可能であり、一方、前記バヨネットタブは長円形レンズ装着開口内に安定的に結合する補助光学装置アセンブリ。
【請求項４】
請求項２の補助光学装置アセンブリにおいて、前記バヨネットタブは長方形状を含む補助光学装置アセンブリ。
【請求項５】
請求項２の補助光学装置アセンブリにおいて、前記カメラ開口は第１の面に配置され、前記戻り止めは第２の面の丸み付けられたキャビティに重なり、第２の面は前記光路に沿って第１の面から離間している補助光学装置アセンブリ。
【請求項６】
請求項１の補助光学装置アセンブリにおいて、前記カメラ開口は長円形補助レンズ装着領域とこのレンズ装着領域に隣接するフラッシュ部分とを含み、モバイルデバイスフラッシュからの光が撮像すべき被写体を照明する補助光学装置アセンブリ。
【請求項７】
請求項６の補助光学装置アセンブリにおいて、前記カメラ開口の前記レンズ装着領域は第１の面に画定され、この第１の面は前記フラッシュ部分が画定された第２の面よりも前記ミニチュアカメラモジュールの画像センサから更に離間されている補助光学装置アセンブリ。
【請求項８】
請求項６の補助光学装置アセンブリにおいて、前記レンズ装着領域が第１の面内に円形キャビティを画定し、前記戻り止めは第２の面内で前記円形キャビティに重なり、第２の面は前記光路に沿って第１の面から離間している補助光学装置アセンブリ。
【請求項９】
請求項１の補助光学装置アセンブリにおいて、前記補助レンズアセンブリのマイクロバヨネットカップリングインターフェースは、前記マイクロバヨネットカップリングインターフェースの中央領域から突出するタブを含む補助光学装置アセンブリ。
【請求項１０】
請求項１の補助光学装置アセンブリにおいて、前記補助レンズ装着インターフェースはモバイルデバイスケースを含み、これは前記モバイルデバイスの周囲を少なくとも部分的に包囲して保護し、かつ前記カメラ開口を画定するように構成されている補助光学装置アセンブリ。
【請求項１１】
請求項１０の補助光学装置アセンブリにおいて、前記補助レンズ装着インターフェースが前記ケースの材料に共通に成形されたインターフェースディーテイルを含む補助光学装置アセンブリ。
【請求項１２】
請求項１１の補助光学装置アセンブリにおいて、前記インターフェースディーテイルが型打ちされた金属からなる補助光学装置アセンブリ。
【請求項１３】
請求項１１の補助光学装置アセンブリにおいて、前記インターフェースディーテイルは前記マイクロバヨネットカップリングインターフェースを含む補助光学装置アセンブリ。
【請求項１４】
補助レンズ装着インターフェースを含むカメラ有効化モバイルデバイスのミニチュアカメラモジュールの光路に安定的に位置合わせされる補助レンズを結合するように構成された補助光学装置アセンブリであって、
補助レンズであり、レンズホルダが前記補助レンズに結合された補助レンズと、
マイクロバヨネットカップリングインターフェースであって、補助レンズ装着インターフェース結合するように構成され、その補助レンズ装着インターフェースはモバイルデバイスに結合されてカメラ開口を画定し、このカメラ開口は被写体から反射した光を前記モバイルデバイスのミニチュアカメラモジュールの光路に沿って内蔵画像センサへ進められるデジタル画像として受け取るように構成されたマイクロバヨネットカップリングインターフェースとを備え、
前記マイクロバヨネットカップリングインターフェースは長円形状を有し、これは第１の向きにおける前記カメラ開口の長円領域を通じて受け取られるように寸法付け及び形状付けされて、前記マイクロバヨネットカップリングインターフェースの長手軸は前記カメラ開口の前記長円領域の長手寸法と概ね平行であり、前記マイクロバヨネットカップリングインターフェースの前記長手軸が前記長円領域の前記長手寸法との平行から相対的に回転して逸れたときに、補助レンズアセンブリを回転自在に結合して前記ミニチュアカメラモジュールの前記光路に沿って安定的に位置合わせすることにより、前記補助レンズ装着インターフェースの画像側に捕捉させ、前記補助レンズは前記補助レンズ装着インターフェースの被写体側に安定的に配置され、前記モバイルデバイスの前記ミニチュアカメラモジュールと位置合わせされる補助光学装置アセンブリ。
【請求項１５】
ミニチュアカメラモジュールを含むモバイルデバイスの周りに結合される保護モバイルデバイスケースであって、
レンズ装着インターフェースであり、ケースハウジングを含み、このケースハウジングはカメラ有効化デバイスの周囲の少なくとも一部の周りと背面とに堅固に結合し、その中にレンズ装着開口を画定するように構成され、このレンズ装着開口は、デジタル画像として撮像すべき被写体からの光を前記モバイルデバイスの前記ミニチュアカメラモジュールの内蔵センサへ進めるように、かつ取り外し自在レンズを前記ミニチュアカメラモジュールと光学的に位置合わせされた安定的な結合を促進するよう形状付けられたレンズ装着インターフェースと、
電気回路であって、プロセッサを含み、このプロセッサはレンズ認識処理、選択的に事前撮影設定又は撮像後編集又はその組合わせによるソフトウェアアプリケーションによりプログラム可能である電気回路と、
前記ケース内に設置されたバッテリであって、デバイスバッテリが低いか又はパワーが無いとき又はその組合わせの際に前記ケースの前記電気回路に動力を供給するか又は前記モバイルデバイスへ動力を供給するバッテリとを備える保護モバイルデバイスケース。
【請求項１６】
請求項１５の保護モバイルデバイスケースにおいて、前記電気回路を有するプリント回路基板（ＰＣＢ）を備え、前記電気回路はそれに結合された前記プロセッサを含む保護モバイルデバイスケース。
【請求項１７】
請求項１５の保護モバイルデバイスケースにおいて、前記バッテリは前記デバイスバッテリが低いかパワーが無いときに前記モバイルデバイスへ動力を供給するように構成されている保護モバイルデバイスケース。
【請求項１８】
請求項１５の保護モバイルデバイスケースにおいて、前記レンズ装着インターフェースは、広角かつ望遠レンズタイプを含む複数のレンズタイプを備える取り外し可能レンズアセンブリと結合するように構成されている保護モバイルデバイスケース。
【請求項１９】
ミニチュアカメラモジュールを含むモバイルデバイスのための補助光学装置アセンブリであって、
レンズホルダと、このレンズホルダに結合されたレンズと、カップリングインターフェースとを含む補助レンズアセンブリと、
レンズ装着インターフェースであり、前記モバイルデバイスに結合するように構成され、デジタル画像として撮像されるべき被写体からの光を前記ミニチュアカメラモジュールの光路に沿って前記モバイルデバイスの前記ミニチュアカメラモジュールの内蔵画像センサへ進めると共に、前記補助レンズアセンブリを前記ミニチュアカメラモジュールと光学的に位置合わせするように安定的に結合させることを促進するように形状付けられたレンズ装着開口を画定するレンズ装着インターフェースとを備え、
前記レンズ装着インターフェースはモバイルデバイスケースを含み、これはモバイルデバイスの周りに結合し、前記ケースはプロセッサ及び電気回路を含み、この電気回路はレンズ認識処理、選択的事前撮影設定又は撮像後編集又はその組合わせに従うソフトウェアアプリケーションによりプログラム可能であり、
前記ケースは前記ケース内に設置されたバッテリを含み、このバッテリはデバイスバッテリが低いか又はパワーが無いか又はその組合わせの際に前記ケースの前記電気回路に動力を供給するか又は前記モバイルデバイスへ動力を供給する補助光学装置アセンブリ。
【請求項２０】
請求項１９の補助光学装置アセンブリにおいて、前記ケースは重量配分を含み、これは補助レンズ重量を前記補助レンズアセンブリとしての前記ケースの反対側における重いケース重量と平衡させる補助光学装置アセンブリ。
【請求項２１】
請求項１９の補助光学装置アセンブリにおいて、前記バッテリは、前記デバイスバッテリが低いか又はパワーが無いときに前記モバイルデバイスへ動力を供給するように構成されている補助光学装置アセンブリ。
【請求項２２】
請求項１９の補助光学装置アセンブリにおいて、前記レンズ装着インターフェースは、広角及び望遠レンズタイプを含む複数のレンズタイプからなる取り外し自在レンズアセンブリと結合するように構成されている補助光学装置アセンブリ。
【請求項２３】
ミニチュアカメラモジュールを含むモバイルデバイスのための補助光学装置アセンブリであって、
レンズホルダと、このレンズホルダに結合されたレンズと、カップリングインターフェースとを含む取り外し自在レンズアセンブリと、
前記モバイルデバイスの周囲の少なくとも一部に堅固に結合するように構成されたモバイルデバイスケースと、
レンズ装着インターフェースであって、前記モバイルデバイスに従って構成され、前記モバイルデバイスに堅固に結合するように構成され、前記取り外し自在レンズアセンブリの前記カップリングインターフェースに応じて前記ミニチュアカメラモジュールの光路に沿って取り外し自在レンズに堅固に結合及び位置合わせするように構成されたレンズ装着インターフェースとを備え、
前記モバイルデバイスケースはケースプロセッサと前記ケースに埋設された電気回路とを備え、これらは、前記ミニチュアカメラモジュールと堅固に結合されて光学的に位置合わせされた前記取り外し自在レンズの存在を検出するように構成され、
前記モバイルデバイスケースはその中にレンズ装着開口を画定するように構成され、このレンズ装着開口は、デジタル画像として撮像すべき被写体からの光を前記ミニチュアカメラモジュールの光路に沿って前記モバイルデバイスの前記ミニチュアカメラモジュールの内蔵画像センサへ進めると共に、補助レンズアセンブリを前記ミニチュアカメラモジュールと光学的に位置合わせするように安定的に結合させることを促進するように形状付けられている補助光学装置アセンブリ。
【請求項２４】
請求項２３の補助光学装置アセンブリにおいて、前記取り外し自在レンズアセンブリの前記カップリングインターフェースはバヨネットタブを含み、前記レンズ装着インターフェースは戻り止め部分を含み、これはレンズ装着キャビティを少なくとも部分的に画定し、このレンズ装着キャビティは、前記取り外し自在レンズアセンブリの前記バヨネットタブに応じて前記モバイルデバイスの前記ミニチュアカメラモジュールの前記光路に沿って前記取り外し自在レンズを堅固に結合させて位置合わせさせるように形状付けられている補助光学装置アセンブリ。
【請求項２５】
請求項２３の補助光学装置アセンブリにおいて、レンズ装着キャビティは第１の面に配置され、戻り止めは第２の面における丸み付けられたキャビティに重ね合わされ、第２の面は第１の面から前記光路に沿って離間している補助光学装置アセンブリ。
【請求項２６】
請求項２３の補助光学装置アセンブリにおいて、前記モバイルデバイスケースは前記レンズ装着インターフェースを前記ケースと一体的に備える補助光学装置アセンブリ。
【請求項２７】
請求項２３の補助光学装置アセンブリにおいて、前記レンズ装着インターフェースは前記ケースの材料中に成形されたインターフェースディーテイルを含む補助光学装置アセンブリ。
【請求項２８】
請求項２７の補助光学装置アセンブリにおいて、前記インターフェースディーテイルは型打ちされた金属を含む補助光学装置アセンブリ。
【請求項２９】
請求項２７の補助光学装置アセンブリにおいて、前記インターフェースディーテイルはマイクロバヨネットデザインを含む補助光学装置アセンブリ。